(57)【特許請求の範囲】
【請求項１】
正面から見て略同一の大きさ及び形状に形成した一対の枠板を、該各枠板間に対して連結板が差込み許容される間隔に隔てたまま一体的に固定して正面から見て略方形のリブフレームを形成し、
上記リブフレームを前後方向に対して所定間隔に隔てて複数配列し、
上記各リブフレームの内面側が覆い隠される内壁ボードを、該各リブフレームの内面側に一体的に固定して略筒状のリブフレーム構造体を構成し、
上記リブフレーム構造体を隣り合う状態に複数配置して、該各リブフレーム構造体のリブフレームを互いに対向すると共に、
上記一方のリブフレーム構造体を構成するリブフレームの外面側端部に突設した連結板を、他方のリブフレーム構造体を構成するリブフレームの外面側端部に差込んで一体的に連結固定して所望する階層の建物を建設する
リブフレーム構造体の建設方法。
【請求項２】
上記リブフレーム構造体を前後方向に向けて略直列に複数配置して、該前後リブフレーム構造体を構成する前後リブフレームを互いに対向すると共に、
上記前側リブフレーム構造体の後端側リブフレームと、後側リブフレーム構造体の前端側リブフレームとの前後対向端部を連結部材で一体的に連結固定する
請求項１記載のリブフレーム構造体の建設方法。
【請求項３】
略同一の大きさ及び形状に形成した一対の枠板を、該各枠板間に対して連結板が差込み許容される間隔に隔てたまま一体的に固定して正面から見て略方形のリブフレームを形成し、
上記リブフレームを前後方向に対して所定間隔に隔てて複数配列すると共に、
上記各リブフレームの内面側が覆い隠される内壁ボードを、該各リブフレームの内面側に一体的に固定して略筒状に構成した
リブフレーム構造体。
【請求項４】
上記リブフレームを、略同一の大きさ及び形状に形成した一対の枠板を上記連結板が差込み許容される間隔に隔てて固定し、
上記リブフレームの角隅部枠板間に挟み込まれる角隅板及び該リブフレームの直線部枠板間に挟み込まれる連結板とを、該リブフレーム全長に対して上記連結板が差込み許容される間隔に隔てて固定して構成した
請求項１又は２記載のリブフレーム構造体の建設方法及び請求項３記載のリブフレーム構造体。
【請求項５】
上記各リブフレームの前後対向面間を連結フレームで一体的に固定した
請求項１又は２記載のリブフレーム構造体の建設方法及び請求項３又は４記載のリブフレーム構造体。
【請求項６】
上記リブフレームを集成材で構成した
請求項１又は２記載のリブフレーム構造体の建設方法及び請求項３，４又は５記載のリブフレーム構造体。
【発明の詳細な説明】
【技術分野】
【０００１】
この発明は、例えば一般住宅やマンション、仮設住宅、介護施設、倉庫等の単一階層構造及び多数階層構造の建物を短期間で建設するときに用いられるリブフレーム構造体の建設方法及びそのリブフレーム構造体に関する。
【背景技術】
【０００２】
従来、上述の建物を建設するときに用いられる構造体としては、例えばコンクリート製筒体を囲繞する結合用枠体の柱部分を梁部分より幅広に形成し、一方の結合用枠体を、他方の結合用枠体に対して略１８０度回転して配置すると共に、一対の結合用枠体の柱部分側端面又は梁部分上端面で互いに係合連結して側方又は上方に継ぎ合わせる特許文献１の建築用空間構造体がある。
【０００３】
しかし、上述の建築用空間構造体は、例えば上下又は左右等の隣り合う状態に配置した一方の構造体を、他方の構造体に対して略１８０度回転して相互の対向端面を係合連結するが、各構造体の向きを略１８０度回転させなければならず、作業に手間が掛かる。且つ、コンクリート製筒体が硬化するのに時間及び日数が掛かるため、構造体を製造するのに、施工期間が長くなる。且つ、コンクリートを使用するため構造体全体の総重量が重く、建設場所に移動及び運搬したり、略１８０度回転したり、上下に積み重ねたりする作業に労力及びエネルギーが必要であり、所望する階層構造に建設する作業に手間及び時間が掛かるという問題点を有している。
【０００４】
【特許文献１】特公昭５４−８０１１号公報。
【発明の開示】
【発明が解決しようとする課題】
【０００５】
この発明は上記問題に鑑み、単一階層構造及び多数階層構造の建物を短期間で建設することができ、現場での建設作業が簡単且つ容易に行え、建設期間の短縮、労力及びエネルギーの削減、移動及び運搬が容易、建設コストの低減を図ることができるリブフレーム構造体の建設方法及びそのリブフレーム構造体の提供を目的とする。
【課題を解決するための手段】
【０００６】
この発明は、正面から見て略同一の大きさ及び形状に形成した一対の枠板を、該各枠板間に対して連結板が差込み許容される間隔に隔てたまま一体的に固定して正面から見て略方形のリブフレームを形成し、上記リブフレームを前後方向に対して所定間隔に隔てて複数配列し、上記各リブフレームの内面側が覆い隠される内壁ボードを、該各リブフレームの内面側に一体的に固定して略筒状のリブフレーム構造体を構成し、上記リブフレーム構造体を隣り合う状態に複数配置して、該各リブフレーム構造体のリブフレームを互いに対向すると共に、上記一方のリブフレーム構造体を構成するリブフレーム外面に突設した連結板を、他方のリブフレーム構造体を構成するリブフレーム外面に差込んで一体的に連結固定して所望する階層の建物を建設するリブフレーム構造体の建設方法であることを特徴とする。
【０００７】
上述のリブフレームを正面から見た形状は、例えば略正方形や略矩形、略五角形、略六角形等の略方形である。また、連結部材は、例えば粘弾性ダンパーやボルト、連結金具等の金属部材と、金属やセラミックス、プラスチック等の単一又は複合した材質で構成される連結部材とで構成される。
【０００８】
つまり、複数のリブフレーム構造体を略同一方向に向けて隣り合う状態に配置し、各リブフレーム構造体を構成するリブフレームを互いに当接又は近接する状態に対向して、一方のリブフレーム構造体を構成するリブフレームの外面側端部に突設した連結板を、他方のリブフレーム構造体を構成するリブフレームの外面側端部に差込んで一体的に連結固定する。且つ、前後に配置したリブフレーム構造体を互いに当接又は近接して、前側リブフレーム構造体の後端側リブフレームと、後側リブフレーム構造体の前端側リブフレームとの前後対向端部を連結部材で一体的に連結固定する。上述と同様にして、複数のリブフレーム構造体を、例えば略同一方向に向けて上下や左右等の隣り合う状態に略並列して配置するか、上下や左右等に略直交して配置するか、前後方向に向けて略直列に配置する等して、所望する単一階層構造及び多数階層構造の建物を建設する。
【０００９】
実施の形態として、リブフレーム構造体の建設方法を、上記リブフレーム構造体を前後方向に向けて略直列に複数配置して、該前後リブフレーム構造体を構成する前後リブフレームを互いに対向すると共に、上記前側リブフレーム構造体の後端側リブフレームと、後側リブフレーム構造体の前端側リブフレームとの前後対向端部を連結部材で一体的に連結固定する方法で構成することができる。
【００１０】
また、リブフレーム構造体を、略同一の大きさ及び形状に形成した一対の枠板を、該各枠板間に対して連結板が差込み許容される間隔に隔てたまま一体的に固定して正面から見て略方形のリブフレームを形成し、上記リブフレームを前後方向に対して所定間隔に隔てて複数配列すると共に、上記各リブフレームの内面側が覆い隠される内壁ボードを、該各リブフレームの内面側に一体的に固定して略筒状に構成することができる。
【００１１】
また、リブフレーム構造体のリブフレームを、略同一の大きさ及び形状に形成した一対の枠板を上記連結板が差込み許容される間隔に隔てて固定し、上記リブフレームの角隅部枠板間に挟み込まれる角隅板及び該リブフレームの直線部枠板間に挟み込まれる連結板とを、該リブフレーム全長に対して上記連結板が差込み許容される間隔に隔てて固定して構成することができる。
【００１２】
また、リブフレーム構造体を構成する各リブフレームの前後対向面間を連結フレームで一体的に固定して、構造的強度を向上させることができる。また、例えば構造的強度及び耐火性、断熱性、保湿性、防音性、調湿性等に優れた集成材で上記リブフレームを構成することができる。
【発明の効果】
【００１３】
この発明によれば、複数のリブフレーム構造体を略同一方向に向けて隣り合う状態に配置して、一方のリブフレーム構造体を構成するリブフレームの外面側端部に突設した連結板を、他方のリブフレーム構造体を構成するリブフレームの外面側端部に差込んで一体的に連結固定するので、従来例のように構造体を方向転換するような手間及び作業が省けると共に、予め組み立てられたリブフレーム構造体を設置するか、複数のリブフレーム構造体を組み合わせるだけであるため、例えば敷地面積が狭い土地や住宅密集地等に建設するのに最適であり、現場での建設作業が簡単且つ容易に行える。且つ、建設期間が大幅に短縮され、建設時の労力及びエネルギーが削減されるだけでなく、所望する単一階層構造及び多数階層構造の建物を短期間で建設して、建設コストの低減を図ることができる。
【００１４】
且つ、複数のリブフレームで構成されるリブフレーム構造体を、一つのユニット又はブロックに予め組み立てておくので、例えばトラックや貨車等の運搬車両に積載して建設現場に運搬することができ、集成材で構成されたリブフレームを用いるため、金属製やコンクリート製の構造体よりも軽量であり、少ない労力で建設することができる。
【発明を実施するための最良の形態】
【００１５】
単一階層構造及び多数階層構造を有する建物の建設期間を短縮し、その建設作業を簡単且つ容易にするという目的を、一方のリブフレーム構造体を構成するリブフレームの外面側端部に突設した連結板を、他方のリブフレーム構造体を構成するリブフレームの外面側端部に差込んで実現した。
【実施例】
【００１６】
この発明の一実施例を以下図面に基づいて詳述する。
【００１７】
図面は、単一階層構造及び多数階層構造の建物を建設するときに用いられるリブフレーム構造体の建設方法及びそのリブフレーム構造体を示し、図１及び図２に於いて、このリブフレーム構造体１の建設方法は、例えば略並列や略直列、略直交する等して配置した正面から見て略筒状のリブフレーム構造体１…を互いに当接又は近接して、隣り合ったリブフレーム構造体１…のリブフレーム２…を連結板２Ｄ…で一体的に連結固定する。且つ、前後に配置したリブフレーム構造体１…を互いに当接又は近接して、前側リブフレーム構造体１の後端側リブフレーム２と、後側リブフレーム構造体１の前端側リブフレーム２とを粘弾性ダンパー７…で一体的に連結固定して、所望する単一階層構造及び多数階層構造の建物Ａ，Ｂ，Ｃ，Ｄを建設する。
【００１８】
上述のリブフレーム構造体１は、正面から見て略正方形のリブフレーム２…を前後方向に対して所定間隔に隔てて複数配列すると共に、そのリブフレーム２…の前後対向面間を連結フレーム３…で一体的に連結固定している。且つ、リブフレーム２…の内面側が覆い隠される内壁ボード４…を、例えば床部及び壁部、天井部等と対応するリブフレーム２…の上下内面及び左右内面に固定し、リブフレーム２…の外面側が覆い隠される外壁ボード５…を、リブフレーム２…の上下外面及び左右外面に固定して略筒状に構成している。なお、内壁ボード４及び外壁ボード５は、例えば耐火性や断熱性を有する材質で構成している。
【００１９】
且つ、例えばグラスウールや天然ウール、発砲プラスチック、古紙等の断熱性及び遮音性に優れた充填材６を、内壁ボード４及び外壁ボード５で囲繞したリブフレーム２…間の空間部に所定量充填している。その空間部は、例えば電線やケーブル、コード等を配線するか、ガス管や水道管、ダクト等を配管するのに利用することができる。また、リブフレーム２を、例えば略矩形や略五角形、略六角形等の所望する形状に形成してもよい。
【００２０】
上述のリブフレーム２は、図３、図４、図５にも示すように、正面から見て略Ｌ字状（略直角をなす形状）に形成した角隅部フレーム２Ａ…を所定間隔に隔てて四隅部に配置し、その角隅部フレーム２Ａ…の対向端部間を１本又は複数本の直線部フレーム２Ｂ…で一体的に連結固定して構成している。
【００２１】
且つ、角隅部フレーム２Ａの角隅部と略対応する大きさ及び形状に形成した角隅板２Ｃ…を、略同一の大きさ及び形状に形成した略Ｌ字状枠板２Ａａ，２Ａａの角隅部対向面間に挟み込んで、枠板２Ａａ，２Ａａの対向面間を、例えばネジやボルト等の固定部材で一体的に連結固定すると共に、枠板２Ａａ，２Ａａの間を、後述する連結板２Ｄが差込み許容される間隔に離間及び保持している。また、角隅部を中心として２分割された枠板２Ａａ，２Ａａのテーパー付き端部を、略Ｌ字状や略三角形状に形成した角隅板２Ｃで連結してもよい。
【００２２】
且つ、角隅部フレーム２Ａ及び直線部フレーム２Ｂの連結側対向端部と略対応する長さ及び幅に形成した連結板２Ｄ…の両端部を、角隅部フレーム２Ａを構成する略同一の大きさ(長さを含む)及び形状に形成した枠板２Ａａ，２Ａａの対向面間と、直線部フレーム２Ｂを構成する略同一の大きさ(長さを含む)及び形状に形成した枠板２Ｂａ，２Ｂａの対向面間とに挟み込んで、角隅部フレーム２Ａ…及び直線部フレーム２Ｂ…の連結側対向端部を、例えばネジやボルト等の固定部材で一体的に連結固定すると共に、枠板２Ａａ，２Ａａの間及び枠板２Ｂａ，２Ｂａの間を、連結板２Ｄが差込み許容される間隔に離間及び保持している
且つ、角隅板２Ｃ…及び連結板２Ｄ…を、リブフレーム２の全周方向に対して連結板２Ｄが差込み許容される間隔に隔てて一体的に固定している。また、角隅板２Ｃ及び連結板２Ｄの差込み側端部には、例えばネジやボルト等の固定部材が螺合及び挿入される孔部を所定間隔に隔てて複数形成している。
【００２３】
且つ、前端側及び後端側に配列したリブフレーム２，２の直線部には、角隅部フレーム２Ａの枠板２Ａａ，２Ａａ間及び直線部フレーム２Ｂの枠板２Ｂａ，２Ｂａ間に差込み許容される厚みの差込み部２Ｄａ，２Ｄａを突設した連結板２Ｄ…を固定し、その他のリブフレーム２…の直線部には、差込み部２Ｄａ，２Ｄａが設けられていない連結板２Ｄ…を固定している。その連結板２Ｄの差込み部２Ｄａ，２Ｄａが差込まれるリブフレーム２の角隅部フレーム２Ａ…及び直線部フレーム２Ｂ…の連結側対向端部には、図５に示す連結板２Ｄの差込み部２Ｄａ，２Ｄａ間に差込み許容される幅に形成した連結板２Ｄを固定している。
【００２４】
また、図６に示すように、差込み部２Ｄａ，２Ｄａが設けられていない連結板２Ｄの一端を、角隅部フレーム２Ａの枠板２Ａａ，２Ａａ間と、直線部フレーム２Ｂの枠板２Ｂａ，２Ｂａ間とに挟み込み固定し、外側に突出した連結板２Ｄの他端を、リブフレーム構造体１を構成するリブフレーム２…の連結側端部に対して差込み可能に設けてもよい。
【００２５】
なお、図５及び図６の連結板２Ｄ…をリブフレーム構造体１の全リブフレーム２…に設けるか、隣り合う状態に配置したリブフレーム構造体１…のリブレフーム２…に対して互い違いに設けてもよい。また、固定部材の代わりに、例えばクギやリベット、ピン、打込みアンカー、接着剤等の何れか一つの方法で固定するか、先の固定部材と併用及び組み合わせる等して固定してもよい。
【００２６】
上述のリブフレーム２は、例えば構造的強度及び耐火性、断熱性、保湿性、防音性、調湿性等に優れた集成材で構成され、枠板２Ａａ，２Ａａ，２Ｂａ，２Ｂａは、例えば厚みｔ＝略２４ｍｍの合板で構成し、角隅板２Ｃ及び連結板２Ｄは、例えば厚みｔ＝略１２ｍｍの強化ＬＶＬ合板（単板積層材）で構成している。また、枠板２Ａａ，２Ａａ，２Ｂａ，２Ｂａの厚みを、例えば略２４ｍｍ以下及び略２４ｍｍ以上に変更するか、角隅板２Ｃ及び連結板２Ｄの厚みを、例えば略１２ｍｍ以下及び略１２ｍｍ以上に変更してもよい。
【００２７】
また、リブフレーム２を、例えば各辺と略対応する長さに形成した４枚の枠板を略直角に連結して構成するか、リブフレーム２全体を、そのリブフレーム２と略対応する大きさ及び形状に形成した一つの枠板で構成することもできる。
【００２８】
建設時において、例えば略同一方向（長さ方向）に向けて、上下や左右等の隣り合う状態に略並列して配置したリブフレーム構造体１…を連結する場合、一方のリブフレーム構造体１の対向側外面部と、他方のリブフレーム構造体１の対向側外面部とを互いに当接又は所定間隔に近接して、一方のリブフレーム構造体１を構成するリブフレーム２の連結側端部に突設した連結板２Ｄ…の連結片２Ｄａ，２Ｄａを、他方のリブフレーム構造体１を構成するリブフレーム２の枠板２Ａａ，２Ａａ間及び枠板２Ｂａ，２Ｂａ間に差込んで、例えばネジやボルト等の固定部材で一体的に連結固定する。
【００２９】
且つ、前後方向(長さ方向)に向けて略直列に配置した前後のリブフレーム構造体１…を連結する場合、前側リブフレーム構造体１の後側端部と、後側リブフレーム構造体１の前側端部とを互いに当接又は所定間隔に近接して、図６にも示す粘弾性ダンパー７を構成する一方の差込み板６ａを、前側リブフレーム構造体１の後端側に組み付けられたリブフレーム２の枠板２Ａａ，２Ａａ間及び枠板２Ｂａ，２Ｂａ間に差込んで、例えばネジやボルト等の固定部材で一体的に連結固定する。また、他方の差込み板６ａを、前側リブフレーム構造体１の後端側に組み付けられたリブフレーム２の枠板２Ａａ，２Ａａ間及び枠板２Ｂａ，２Ｂａ間に差込んで、例えばネジやボルト等の固定部材で一体的に連結固定する。
【００３０】
且つ、略直交する状態に配置したリブフレーム構造体１…を連結する場合、図８に示すように、略９０度捩れる形状に形成した連結板２Ｄの両端部を、一方のリブフレーム構造体１のリブフレーム２…と、他方のリブフレーム構造体１のリブフレーム２…との対向端部に差込んで連結固定する。また、何処にも固定されていない連結板２Ｄの両端部を、一方のリブフレーム構造体１を構成するリブフレーム２…と、他方のリブフレーム構造体１を構成するリブフレーム２…との対向端部に差込んで連結固定することもできる。
【００３１】
上述の粘弾性ダンパー７は、例えばアクリル系やシリコン系、ウレタン系、ゴム系、ジェン系等の高分子材料を原料として形成された粘弾性体７ｂを、一対の差込み板７ａ，７ａの対向面間に一体化した状態に充填して、微小な変形及び大きな変形に至る振動を吸収する。また、粘弾性ダンパー７の代わりに、例えばボルトや連結金具等の金属部材で一体的に連結固定するか、金属やセラミックス、プラスチック等の単一又は複合した材質で構成される連結部材で一体的に連結固定することもできる。
【００３２】
且つ、窓部８を、リブフレーム構造体１の側壁部に設けているが、例えば扉部や大窓、採光窓等を開口部に設けることもできる。
【００３３】
図示実施例は上記の如く構成するものにして、以下、リブフレーム構造体１の建設方法を説明する。
【００３４】
先ず、図１、図２に示すように、リブフレーム構造体１…を、例えば略同一方向に向けて、上下や左右等の隣り合う状態に略並列して配置すると共に、一方のリブフレーム構造体１の対向側外面部と、他方のリブフレーム構造体１の対向側外面部とを互いに当接又は近接して、図５に示すように、一方のリブフレーム構造体１を構成するリブフレーム２…の外面側端部に突設した連結板２Ｄ…の連結片２Ｄａ，２Ｄａを、他方のリブフレーム構造体１を構成するリブフレーム２…の角隅部フレーム２Ａの外面側端部の枠板２Ａａ，２Ａａ間及び直線部フレーム２Ｂの外面側端部の枠板２Ｂａ，２Ｂａ間に差込むと共に、一方のリブフレーム２に突設した連結板２Ｄの差込み部２Ｄａ，２Ｄａ間に、他方のリブフレーム２に設けられた連結板２Ｄを差込んで、リブフレーム構造体１…を略並列に組み合わせた状態に規制及び合致させた後、例えばネジやボルト等の固定部材で一体的に連結固定する。また、図６に示すように、隣り合う状態に配置したリブフレーム構造体１…のリブフレーム２…を連結板２Ｄ…で連結固定してもよい。
【００３５】
且つ、リブフレーム構造体１…を、例えば前後方向に向けて略直列に配置すると共に、前側リブフレーム構造体１の後端側リブフレーム２と、後側リブフレーム構造体１の前端側リブフレーム２とを互いに当接又は近接して、後端側リブフレーム２と前端側リブフレーム２との前後対向端部を、図７にも示す粘弾性ダンパー７…を介して、例えばネジやボルト等の固定部材で一体的に連結固定する。
【００３６】
且つ、リブフレーム構造体１…を、図８に示すように、例えば上下や左右等に略直交して配置すると共に、略９０度捩れる形状に形成した連結板２Ｄの両端部を、一方のリブフレーム構造体１のリブフレーム２…と、他方のリブフレーム構造体１のリブフレーム２…との外面側対向端部に差込んで連結固定する。また、何処にも固定されていない連結板２Ｄの両端部を、一方のリブフレーム構造体１を構成するリブフレーム２…と、他方のリブフレーム構造体１を構成するリブフレーム２…との対向端部に差込んで連結固定することもできる。
【００３７】
上述と同様にして、リブフレーム構造体１…を、例えば略同一方向に向けて上下や左右等の隣り合う状態に略並列して配置するか、上下や左右等に略直交して配置するか、前後方向に向けて略直列に配置する等して、図９、図１０、図１１、図１２に示すような所望する単一階層構造及び多数階層構造の建物Ａ，Ｂ，Ｃ，Ｄを建設する。
【００３８】
以上のように、複数のリブフレーム構造体１…を略同一方向に向けて隣り合う状態に配置して、一方のリブフレーム構造体１を構成するリブフレーム２…の外面側端部に突設した連結板２Ｄ…を、他方のリブフレーム構造体１を構成するリブフレーム２…の外面側端部に差込んで一体的に連結固定する構造であるので、従来例のように構造体を方向転換するような手間及び作業が省けると共に、予め組み立てられたリブフレーム構造体１を設置するか、複数のリブフレーム構造体１…を組み合わせるだけであるため、例えば敷地面積が狭い土地や住宅密集地等に建設するのに最適であり、現場での建設作業が簡単且つ容易に行える。且つ、建設期間が大幅に短縮され、建設時の労力及びエネルギーが削減されるだけでなく、例えば一般住宅やマンション、仮設住宅、介護施設、倉庫等の所望する単一階層構造及び多数階層構造の建物Ａ，Ｂ，Ｃ，Ｄを短期間で建設して、建設コストの低減を図ることができる。
【００３９】
且つ、複数のリブフレーム２…で構成されるリブフレーム構造体１を、一つのユニット又はブロックに予め工場で組み立てておくので、例えばトラックや貨車等の運搬車両に積載して建設現場に運搬することができ、集成材で構成されたリブフレーム２…を用いるため、金属製やコンクリート製の構造体よりも軽量であり、少ない労力で建設することができる。
【００４０】
且つ、内壁ボード４及び外壁ボード５で囲繞されるリブフレーム２…間の空間部を、例えば電線やケーブル、コード等を配線するか、ガス管や水道管、ダクト等を配管するのに利用することができる。
【００４１】
この発明の構成と、上述の実施例との対応において、  
この発明の連結部材は、実施例の粘弾性ダンパー７に対応するも、  
この発明は、上述の実施例の構成のみに限定されるものではない。
【産業上の利用可能性】
【００４２】
例えばリブフレーム構造体１を縦向きに配置するか、斜め上向きに配置する等してもよく、様々な形態の建物Ａ，Ｂ，Ｃ，Ｄを建設するのにも利用することができる。
【図面の簡単な説明】
【００４３】
【図１】リブフレーム構造体の連結方法を示す斜視図。(実施例１)
【図２】リブフレーム構造体の連結状態を示す縦断正面図。
【図３】リブフレームの組付け状態を示す正面図。
【図４】角隅部フレーム及び直線部フレームの組付け状態を示す斜視図。
【図５】隣り合う状態に配置したリブフレームの連結方法を示す斜視図。
【図６】隣り合う状態に配置したリブフレームの他の連結方法を示す斜視図。
【図７】前後リブフレーム構造体の連結方法を示す斜視図。
【図８】略直交配置したリブフレーム構造体の連結方法を示す側面図。
【図９】リブフレーム構造体で建設した第１の建物を示す斜視図。
【図１０】リブフレーム構造体で建設した第２の建物を示す斜視図。
【図１１】リブフレーム構造体で建設した第３の建物を示す斜視図。
【図１２】リブフレーム構造体で建設した第４の建物を示す斜視図。
【符号の説明】
【００４４】
１      リブフレーム構造体
２      リブフレーム
２Ａ    角隅部フレーム
２Ａａ  枠板
２Ｂ    直線部フレーム
２Ｂａ  枠板
３      連結フレーム
４      内壁ボード
５      外壁ボード
６      充填材
７      粘弾性ダンパー
【要約】
【課題】現場での建設作業が簡単且つ容易に行え、建設期間の短縮、労力及びエネルギーの削減、移動及び運搬が容易、建設コストの低減を図ることができるリブフレーム構造体の建設方法及びそのリブフレーム構造体を提供する。
【解決手段】例えば略並列及び略直列、略直交する等して配置したリブフレーム構造体１…を互いに当接又は近接して、一方のリブフレーム構造体１のリブフレーム２と、他方のリブフレーム構造体１を構成するリブフレーム２…との対向端部を連結板２Ｄ…で一体的に連結固定する。且つ、前側リブフレーム構造体１の後端側リブフレーム２と、後側リブフレーム構造体１の前端側リブフレーム２との前後対向端部を粘弾性ダンパー７…で一体的に連結固定して、所望する単一階層構造及び多数階層構造の建物Ａ，Ｂ，Ｃ，Ｄを建設する。
【選択図】  図１
【図１】
0003548172.tif 000002
【図２】
0003548172.tif 000003
【図３】
0003548172.tif 000004
【図４】
0003548172.tif 000005
【図５】
0003548172.tif 000006
【図６】
0003548172.tif 000007
【図７】
0003548172.tif 000008
【図８】
0003548172.tif 000009
【図９】
0003548172.tif 000010
【図１０】
0003548172.tif 000011
【図１１】
0003548172.tif 000012
【図１２】
0003548172.tif 000013